Podtech/llm-jp-corpus-v4-ja_patent huggingface dataset:
(57)【要約】【課題】平面状シルクを化粧用洗浄布として使用すること。【解決手段】蚕が平面の載置面上を徘徊することによって蚕が吐出する糸により形成される平面状シルクを３層乃至４層に剥離する。平面状シルクは物理的な力により何層にも剥離できるので、例えば７層であれば３層と４層に、８層であれば４層づつに剥離して表面を平滑に整えた上所定の寸法に切断する。例えば１５０ｍｍ×２００ｍｍというような寸法に切断する。  このように切断した平面状シルクを所定の枚数例えば１０枚１組として箱詰めする。【選択図】図１
0003136523.tif 000002
【実用新案登録請求の範囲】
【請求項１】
蚕を平面の載置面上で徘徊させることによって、蚕が吐出する糸により平面状シルクが形成されるが、こうして出来た７層乃至８層の平面状シルクを３層乃至４層にして表面を平滑に整え、所定の寸法に切断して、これを化粧用洗浄布として使用する、平面状シルクの化粧用洗浄布。
【考案の詳細な説明】
【技術分野】
【０００１】  本考案は、蚕が平面の載置面上を徘徊することによって蚕が吐出する糸により形成される平面状シルクを化粧用洗浄布として使用する技術に関するものである。
【背景技術】
【０００２】  いわゆる平まゆとして知られる平面状シルクの製造方法に関する文献としては下記の文献がある。
【特許文献１】  特開２０００−３１６４２１
【特許文献２】  特開２０００−３１６４２２
【０００３】  上記の製造方法により製造された平面状シルクの用途に関しては、一部にマスク、アイマスク、ネクタイ、サポーター、ベルト、ベスト等の布地としての用途はあるが、これを化粧用洗浄布として使用する用途は提案されていなかった。
【考案の開示】
【考案が解決しようとする課題】
【０００４】  本考案は、上記の状況に鑑み、この平面状シルクを化粧用洗浄布として使用することを提案するものである。
【課題を解決するための手段】
【０００５】  特開２０００−３１６４２１及び特開２０００−３１６４２２の方法により製造された平面状シルクは、通常７層乃至８層に形成されている。それをこのまま使用してもよいのであるが、使用感や経済性等を考慮し、これを３層乃至４層に調整して表面を平滑に整えた上、所定の寸法に切断し、所定の枚数を１単位として箱詰めする。
【考案の効果】
【０００６】  本考案は、平面状シルクを洗浄や分解等の加工をしたりせず、そのままの状態で使用するので、絹フィブロインの糊の役目をしているセリシンが豊富に含まれている。
本考案を化粧用洗浄布として、例えば顔を洗浄することによりセリシンと絹フィブロインの相乗効果で抗酸化作用、保湿作用、美白効果により顔の肌をきめ細かく艶やかに保つことができる。
【考案を実施するための最良の形態】
【０００７】  特開２０００−３１６４２１及び特開２０００−３１６４２２の方法により製造された平面状シルクは、通常７層乃至８層に形成されている。
これを３層乃至４層に剥離する。平面状シルクは物理的な力により何層にも剥離できるので、例えば７層であれば３層と４層に、８層であれば４層づつに剥離して表面を平滑に整えた上所定の寸法に切断する。例えば１５０ｍｍ×２００ｍｍというような寸法に切断する。
このように切断した平面状シルクを所定の枚数例えば１０枚１組として箱詰めする。【０００８】  繭は、繊維となるフィブロインとその繊維を固めているセリシンとで構成されている。フィブロインとセリシンの構成比は約７５：２５である。フィブロインは１７種類のアミノ酸で構成された繊維状物質であり、セリシンもフィブロインと同様のアミノ酸で構成された水溶性の物質である。
セリシンにはセリンが約３０％と豊富に含まれ、スレオニンと合わせると水酸基を有するアミノ酸含有量は４０％前後となる。この水酸基を多量に含むことからセリシンは保湿性に優れており、皮膚のしわを防ぐ作用がある。
またセリシンには抗酸化作用があることがわかっている。
活性酸素による酸化的ストレスは、スキンケアにとっても重要な問題である。皮膚は絶えず光と大気中の酸素にさらされていることから、活性酸素が発生しやすい状態にある。
ＬＤＬ（低密度リポタンパク質）の酸化が銅イオンの添加で促進されるが、セリシンを添加しておくとその酸化が抑制される。この場合、銅とセリシンとのキレーションが酸化抑制に関わっていると考えられる。過酸化水素と銅イオンが共存するとヒドロキシラジカル（最も反応性の高い活性酸素種の一つ）が発生し、ＤＮＡや肥質を酸化する。このＤＮＡの酸化もセリシンによって強力に抑制されることが明らかになった。
セリシンにはセリンと共にアスパラギン酸（約１８％）も多いことから水酸基やカルボキシルがキレーションに関わっていると考えられる。こうしてセリシンの抗酸化作用の少なくとも一部は、活性酸素の産出を促進する銅イオンとのキレーションによるものと推定される。
アスコルビン酸や麹酸等の抗酸化剤の多くはメラニン色素の生合成も抑制する。
もともとメラニン色素自身が、皮膚の活性酸素の増加を防ぐ抗酸化剤として機能しており、メラニン色素の蓄積は太陽の紫外線による活性酸素の増加を防ぐ一種の防御機構でもある。抗酸化剤が存在するとメラニン色素の合成系の亢進は必要とされなくなり、その合成系の誘導が抑制されるので、結果的に美白につながるわけである。
メラニン色素の生合成に関与するのがチロシナーゼ（フェノールオキシダーゼあるいはポリフェノールオキシダーゼとも呼ばれる）であり、チロシンからドーパ、ドーパからドーパキノンへの酸化に関わっている。この酵素の活性に対してセリシンが阻害作用を示すのか否か検討した結果、セリシンの最終濃度で０．５％あるいは１．０％で有意にチロシナーゼの活性が抑制された。このチロシナーゼは銅を含み、銅を除去すると活性を失うことから、セリシンが銅を奪うことによりその活性を抑制した可能性が考えられる。
従って繭をそのままの状態で洗顔用の洗浄布として使用することは、フィブロインとセリシンの持つ保湿効果、抗酸化作用、美白効果を受けることになるので、肌を美しく保つことができる。
【図面の簡単な説明】
【０００８】
【図１】平面状シルクと本考案の平面状シルクの化粧用洗浄布
【符号の説明】
【０００９】１  平面状シルク
２  平面状シルクの化粧用洗浄布
【図１】
0003136523.tif 000003
(57)【要約】【課題】    回転軸付オルゴールムーブメントを内蔵したカクテルシェーカーオルゴールの提供。【解決の手段】    回転軸（７）付オルゴールムーブメント（３）を回転軸（７）付オルゴールムーブメント（３）の固定用円盤（４）に固定し、カクテルシェーカーのストレーナー（２）の内側開口部（８）より回転軸（７）を貫通させ装着し、上下にトップ（１）ボディ（６）を組み合わせた回転軸（７）付オルゴールムーブメント（３）を内蔵させたカクテルシェーカーオルゴール。【選択図】図１
0003136527.tif 000002
【実用新案登録請求の範囲】
【請求項１】
回転軸（７）付オルゴールムーブメント（３）を回転軸（７）付オルゴールムーブメント（３）の固定用円盤（４）に固定し、カクテルシェーカーのストレーナー（２）の内側開口部（８）より回転軸（７）を貫通させ装着し、上下にトップ（１）ボディ（６）を組み合わせた回転軸（７）付オルゴールムーブメント（３）を内蔵させたカクテルシェーカーオルゴール。
【考案の詳細な説明】
【技術分野】
【０００１】  本考案は、回転軸付オルゴールムーブメントを内蔵したカクテルシェーカーオルゴールとして新しいオルゴール分野に関するものである。
【背景技術】
【０００２】  従来回転軸付オルゴールムーブメントを内蔵したカクテルシェーカーオルゴール分野は開かれていない。
【考案の開示】
【考案が解決しようとする課題】
【０００３】  従来のオルゴールは次のような課題があった。
（イ）従来のオルゴールの外側は耐水性において問題があった。
（ロ）従来のオルゴールはムーブメントの着脱が容易ではなかった。
本考案は、これらの課題を解決することを目的になされたものである。
【考案を解決するための手段】
【０００４】  カクテルシェーカーという本来の用途・目的に拘わらず視点を変えて、仕上げの良さ・耐久性蝕性・その他の機能的美しさを生かしオルゴールとすることでインテリア性の高いオルゴール分野を開く。
【考案の効果】
【０００５】  本考案は在来にない感覚を先取り、新しいオルゴール分野を開く。
【０００６】  ステンレス製のため従来のオルゴールより耐水性があり、また音響効果が高い。
【０００７】  素材の外観の美しさに意味があるため、外観が整っていれば内部に故障、欠陥があっても活用できる。
【０００８】  リサイクル品でも外観が整っていれば活用することができる。
【考案を実施するための最良の形態】
【０００９】  カクテルシェーカー自体のフォルムを生かすことでインテリア性に優れる。
【実施例】
【００１０】  回転軸（７）付オルゴールムーブメント（３）を回転軸（７）付オルゴールムーブメント（３）の固定用円盤（４）に固定し、カクテルシェーカーのストレーナー（２）の内側開口部（８）より回転軸（７）を貫通させ装着し、上下にトップ（１）ボディ（６）を組み合わせた回転軸（７）付オルゴールムーブメントを内蔵させたカクテルシェーカーオルゴール。
【産業上の利用可能性】
【００１１】  本考案は従来のカクテルシェーカーを生かした組み合わせのため低コストで生産が可能。【００１２】  簡易組み立てで量産性が高い。【００１３】  回転軸付オルゴールムーブメント、カクテルシェーカーは新品でなくても使用可能でエコロジー効果があり、産業上の利用の可能性が高い。【００１４】  回転軸付オルゴールムーブメントおよびカクテルシェーカーは世界共通性を持ち国際的にも産業化できる。
【図面の簡単な説明】
【００１５】
【図１】本考案の回転軸付オルゴールムーブメントを内蔵させたカクテルシェーカーオルゴールの透視図
【図２】図１のユニット展開図
【符号の説明】
【００１６】  １  カクテルシェーカー  トップ（上蓋）
２  カクテルシェーカー  ストレーナー（中蓋）
３  回転軸付オルゴールムーブメント
４  回転軸付オルゴールムーブメントの固定用円盤
５  オルゴールムーブメントねじ
６  カクテルシェーカー  ボディ（下部器）
７  回転軸
８  開口部
【図１】
0003136527.tif 000003
【図２】
0003136527.tif 000004
(57)【要約】【課題】  主に後付けにてエアコンに具備（取付ける）するもので、必要な場所のみの温度を感知することにより、温度制御することができるエアコン用伸縮式温度センサー及びエアコン用伸縮式温度センサー付エアコンを提供する。【解決手段】  エアコンに具備するもので、温度センサーをコードを巻取具にて伸縮自在に形設し、必要な場所に移動可能に形成してなることを特徴とするエアコン用伸縮式温度センサー。【選択図】図１
0003136521.tif 000002
【実用新案登録請求の範囲】
【請求項１】
エアコンに具備するもので、温度センサーをコードを巻取具にて伸縮自在に形設し、必要な場所に移動可能に形成してなることを特徴とするエアコン用伸縮式温度センサー。
【請求項２】
温度センサーに、固定具を設けてなることを特徴とする請求項１記載のエアコン用伸縮式温度センサー。
【請求項３】
エアコン本体の側部あるいは下部にエアコン用伸縮式温度センサーを設けてなるエアコン用伸縮式温度センサー付エアコン。
【考案の詳細な説明】
【技術分野】
【０００１】  本考案は、エアコンに具備するエアコン用伸縮式温度センサー及びエアコン用伸縮式温度センサー付エアコンに関するものである。
【背景技術】
【０００２】  従来の技術としては、建物内の温度を調節する温度調節手段と、前記建物の温度環境状況を検出して温熱環境状況情報を出力する温熱環境検出手段と、前記温熱環境状況情報に基づいて前記温度調節手段を作動制御する制御手段と、前記制御手段による前記温度調節手段の制御モードを選択するモード選択手段を備える建物内温度調製システムであって、前記モード選択手段は快適な温熱条件を選択する快適温熱モード、省エネルギーができる省エネモード、温度調節費の倹約が可能な倹約モードのいずれかを選択可能に設けられていると共に、前記制御手段は前記温熱環境情報に基づいて前記モード選択手段により選択されたモードの設定条件になるように前記温度調節手段の制御を行うことを特徴とする建物内温度調製システムがある。（特許文献１参照）【０００３】  また、別の従来技術として、床の上に直接置けて操作性に優れ、かつ正確な床上雰囲気温度が感知できる床置き用のワイヤレスリモコンホルダーがある。（特許文献２参照）
【特許文献１】  特開２００６−１７７６４６号公報
【特許文献２】  特開平０９−２２４２９５号公報
【考案の開示】
【考案が解決しようとする課題】
【０００４】  上記前者においては、建物内全体のことを考え温度管理を行うシステムであり、大掛かりなシステムとなり、多大な費用がかかるものである。【０００５】  上記後者においては、その場所の温度を感知するワイヤレスリモコンのホルダーであり、この機種のように専用のリモコンであればよいが、このエアコンにおいてもリモコンの角度によっては感知しないケースもある。なお、エアコン本体内のみしか感知できないエアコン（リモコン）においては、本考案のエアコン用伸縮式温度センサーが必要とされている。【０００６】  本考案は、主に後付けにてエアコンに具備（取付ける）するもので、必要な場所のみの温度を感知することにより、温度制御することができるエアコン用伸縮式温度センサー付エアコンを提供することを目的とする。
【課題を解決するための手段】
【０００７】  本考案は、上記目的を達成するために、エアコンに具備するもので、温度センサーをコードを巻取具にて伸縮自在に形設し、必要な場所に移動可能に形成してなる。
また、温度センサーに、固定具を設けてなる。
そして、エアコン本体の側部あるいは下部にエアコン用伸縮式温度センサーを設けてなるエアコン用伸縮式温度センサー付エアコン。
【考案の効果】
【０００８】１）、主に、エアコン本体内温度を感知して温度制御しているエアコンに対して、後付けにてエアコン用伸縮式温度センサーを取付けることができ、また、リモコンの届かない範囲であっても温度センサーを引出し、所要の位置にセットすることにより、その位置において適正な温度空間をつくることができる。
２）、伸縮自在に形成しているため、必要な時のみ引き出して使用することができる。
３）、エアコン用伸縮式温度センサー付エアコンとして使用することにより、今までのエアコンに新しい機能を付加できるものである。
【考案を実施するための最良の形態】
【０００９】  エアコン用伸縮式温度センサー１は、エアコンに具備するもので、コード２を巻取具３（例えばラチェット機構及びコイルバネ）にて伸縮自在に形設し、必要な場所（位置）に移動可能に形成してなるものであり、コード２の下端にクリップによる固定具４を付設した温度センサーを設けると共に、上端にエアコン本体内の温度制御部に連結するコネクター６を設けてある。
なお、コネクター６が合わない場合は、コード２の上端を回路（図示せず）の所要位置にてハンダ付け等を行うものである。【００１０】  つぎに、エアコン用伸縮式温度センサー付エアコン１１は、エアコン本体ＡＨの側部に、エアコン用伸縮式温度センサー１を取り付けてなるものである。【００１１】  つぎに、エアコン用伸縮式温度センサー付エアコン１１の使用例について下記に述べる。
室内Ｓに設けたエアコン用伸縮式温度センサー付エアコン１１を作動させるとき、赤ちゃんＡＫが室内Ｓの隅（リモコンが届かない場所）で寝ている場所において、赤ちゃんＡＫがここちよい温度に設定することが大切である。【００１２】  このとき、赤ちゃんＡＫが寝ているベッドＢＴに固定具４にて温度センサー５を取り付けるもので、ベッドＢＴの周囲の温度を確実に管理できるものである。【００１３】  なお、必要がなくなった時点で、巻取具３にてコード２を巻き取り、温度センサー５をエアコンＡＫの側部に保持させるものである。【００１４】  上記実施例において、コードの長さや固定具の形状等は特に限定するものではなく、必要に応じて決めればよい。
【図面の簡単な説明】
【００１５】
【図１】  本考案の一実施例を示すエアコン用伸縮式温度センサーの側面図。
【図２】  本考案の一実施例を示すエアコン用伸縮式温度センサーの正面図。
【図３】  本考案の一実施例を示すエアコン用伸縮式温度センサー付エアコンの使用状態図。
【符号の説明】
【００１６】１―――エアコン用伸縮式温度センサー
２―――コード
３―――巻取具
４―――固定具
５―――温度センサー
６―――コネクター
ＡＨ――エアコン本体
Ｓ―――室内
ＡＫ――赤ちゃん
ＢＴ――ベッド
【図１】
0003136521.tif 000003
【図２】
0003136521.tif 000004
【図３】
0003136521.tif 000005
(57)【要約】【課題】旅行カバンなどの手荷物の重量を簡便に測定でき且つ携帯可能な簡易重量測定器の提供。【解決手段】手で持ちやすい大きさの取手部、該取手部と連結された、手荷物の取っ手をバランスよく安定に引っ掛けることができる形状のフック部、該フック部と連携させた重量測定部と重量表示部を備えたことを特徴とする簡易重量測定器。【選択図】図１
0003136525.tif 000002
【実用新案登録請求の範囲】
【請求項１】
手で持ちやすい大きさの取手部、該取手部と連結された、手荷物の取っ手をバランスよく安定に引っ掛けることができる形状のフック部、該フック部と連携させた重量測定部と重量表示部を備えたことを特徴とする簡易重量測定器。
【考案の詳細な説明】
【技術分野】
【０００１】  本考案は、携帯に便利な簡易重量測定器に関する。
【背景技術】
【０００２】  航空会社のカウンターに手荷物を預ける際に、重量制限をオーバーすると高額な超過料金を請求される。しかも、以前は２〜３ｋｇ程度のオーバーは許されたが、最近は航空会社の財政事情等により相当厳しくなってきている。超過料金を支払わないで済ますには、手荷物を一旦引き取り、その場で旅行カバンなどを開けて中身を入れ替えるなどしたのち再度チェックを受けなければならない。この作業は旅行者にとって非常に煩わしく、急いでいるときなどは強い圧迫感を感じることもある。そのため、多くの人々が手荷物の重量検査に不安を感じている。更に、周りの人々もイライラするし、業務が停滞するため空港にとっても損失である。特に残念なことは、折角の旅行の楽しさが損なわれることである。
このような事態を回避するには、ホテルなどで手荷物を梱包する際に、予め旅行カバンなどの手荷物の重量を確認できるようにすることが望ましい。しかし、本考案者の知る限り、簡便に手荷物の重量を確認でき且つ携帯可能な測定器は存在しない。
公知の重量測定器として三田計器社製のハンディスケール３９３−５０型（資料）があるが、この測定器の場合、引っ掛け部が細い釣り針状のため、旅行カバンなどの手荷物をバランスよく安定にぶら下げることが難しい。
【考案の開示】
【考案が解決しようとする課題】
【０００３】  本考案は、旅行カバンなどの手荷物の重量を簡便に測定でき且つ携帯可能な簡易重量測定器の提供を目的とする。
【課題を解決するための手段】
【０００４】  上記課題は、次の１）の考案によって解決される。
１）  手で持ちやすい大きさの取手部、該取手部と連結された、手荷物の取っ手をバランスよく安定に引っ掛けることができる形状のフック部、該フック部と連携させた重量測定部と重量表示部を備えたことを特徴とする簡易重量測定器。【０００５】  以下、上記考案について図面を参照しつつ説明する。
図１は本考案の簡易重量測定器の一例を示す正面図である。１は取手部、２は手荷物の取っ手を引っ掛けるためのフック部、３は重量測定部、４は重量表示部である。重量測定部３を点線で示したのは、内蔵されているため外からは見えないからである。
通常、取手部１は硬質プラスチックなどで作製し、人が手で持ちやすい大きさとする。図１に示したように、指に合わせた凹凸を設ければ更に握りやすくなるので好ましい。
フック部２はステンレスなどで作製し、旅行カバンなどの手荷物の取っ手に引っ掛けるのに都合のよい大きさ及び安定的に引っ掛けることができる形状構造とする。該形状構造としては、例えば、側面からみて図２に示すような形状が好ましい。
重量測定部３及び重量表示部４は特に限定されず公知のものを転用すればよく、通常は内蔵された重量測定部３に対応する位置の表面に重量表示部４を設ける。付設する位置は、通常、図１に示すように取手部１とフック部２の間とし、重量測定部３とフック部２はバネ構造などで連携させる。
上記本考案の簡易重量測定器の使用方法は非常に簡単であり、まずフック部２を手荷物の取っ手に引っ掛け、次いで取手部１を握って持ち上げれば自動的に重量が測定され表示されるので、それを読み取ればよい。
【考案の効果】
【０００６】  本考案によれば、旅行カバンなどの手荷物の重量を簡便に測定でき且つ携帯可能な簡易重量測定器を提供できる。
この測定器は小型で持ち運びに適しており、何時でも何処でも誰でも簡便に旅行カバンなどの手荷物の重量を測定できるので、前記した航空機の重量制限に対する旅行者の不安や不便を解消することができるし、空港業務の円滑な遂行にも役立つ。
【図面の簡単な説明】
【０００７】
【図１】本考案の簡易重量測定器の一例を示す正面図。
【図２】図１に示す例の側面図。
【符号の説明】
【０００８】１  取手部
２  フック部
３  重量測定部
４  重量表示部
【図１】
0003136525.tif 000003
【図２】
0003136525.tif 000004
(57)【要約】      （修正有）【課題】夏季時の遺体の納棺時に遺体より出る臭いをなくすように冷風を送る器具を提供する。【解決手段】冷凍室にて螺旋式パイプの内を冷やしうる冷たい風を送風機にて棺の内に送り込み遺体を保存する簡単な器具である。棺の横に送風パイプの穴を開けて送風機にて棺内部の遺体を冷やす。移動が簡単なのでどこでも手間がかからない安易な器具であり出棺まで安心して使用できる器具である。【選択図】図２
0003136518.tif 000002
【実用新案登録請求の範囲】
【請求項１】
遺体腐食防止冷風機において
冷凍室（１）には送風機（２）を備え前記冷凍室（１）の中には冷気が満たされた螺旋式パイプ（３）が格納され、前記螺旋式パイプ（３）はパイプ（４）に繋がり、パイプ（４）の先端は棺（５）にあけた穴に挿入されていて、パイプ（４）より送風された冷風が棺内に流入し内部の遺体を冷やし遺体から出る臭いを防止する構造になっでいることを特徴とする遺体腐食防止冷風機。
【考案の詳細な説明】
【技術分野】
【０００１】  本考案は、夏季時の遺体の納棺時に遺体より出る臭いをなくすように冷風を送る器具である。
【背景技術】
【０００２】  遺体腐食防止冷風送風機の考案について夏季時など暖かい時期遺体の納棺のとき遺体の腐食の臭いがして今まではドライアイスなどの冷たい化学物質を棺の中や遺体に抱かせたりして臭いの出ない冷やし方法をしてきが、ドライアイスも時間がたつことにより水分を出し汚れのもとになり処理に苦労がとてもかかった。
【考案の開示】
【考案が解決しようとする課題】
【０００３】  夏季時の遺体の納棺時に遺体より出る臭いをなくすようにする。
【課題を解決するための手段】
【０００４】  従来夏季時の遺体納棺時には遺体より出る臭いを消すためドライアイスを入れて防止していたのを冷凍室に冷風機を持ち込み螺旋式パイプの内を冷やしうる冷たい風を棺の中に送り込むことによりこれを解決する。
棺の横に送風パイプの穴を開けて送風機にて棺内部の遺体を冷やすだけである。
送風機にて棺の内の遺体を保存する簡単な器具である。
【考案の効果】
【０００５】  従来の夏季時の遺体の保存はドライアイスその他大型冷蔵庫にて冷やして臭いを消していたものを本考案機により費用も安く簡単であり持ち運びが簡単でいつでも移動でき必要に応じて利用できる簡単である。
【考案を実施するための最良の形態】
【０００６】  以下本考案の実施の形態について説明する。
納棺前に棺の横に送風用のパイプの穴を棺の横に開け送風パイプを差し込み冷凍室内より冷風を送風機より送り込むだけの簡単なやりかたである。
【実施例】（１）の冷凍室により（３）の螺旋式パイプ内を冷やし（２）の送風機より（４）のパイプを通して（５）の棺に送風し内部の遺体を冷やし遺体から出る臭いを防止する器具である。
【図面の簡単な説明】
【０００７】
【図１】本考案の側面図
【図２】本考案の断面図
【図３】本考案の螺旋式パイプ
【符号の説明】
【０００８】  １    冷凍室
２    送風ポンプ室
３    螺旋式冷風送風パイプ
４    冷風送りパイプ
５    遺体納棺
６    遺体
【図１】
0003136518.tif 000003
【図２】
0003136518.tif 000004
【図３】
0003136518.tif 000005
(57)【要約】      （修正有）【課題】各タクシー会社の配車依頼からタクシーが家に来るまでの時間をクロノグラフで図り、各タクシー会社の素早い対応を期待できるタクシー依頼用表示盤を提供する。【解決手段】表示盤本体（１）に、複数のタクシー会社にそれぞれ連絡可能な複数のボタンスイッチ（２）と、タクシー会社に連絡する青色のボタンスイッチ（３）と、作動したクロノグラフ（６）をストップさせる赤色のボタンスイッチ（４）と、キャンセルするための黄色のボタンスイッチ（５）と、これらボタンスイッチ（３）（４）（５）と連動するクロノグラフ（６）を設けたことを特徴とするタクシー依頼用表示盤から構成されるものである。【選択図】図１
0003136575.tif 000002
【実用新案登録請求の範囲】
【請求項１】
表示盤本体（１）に、複数のタクシー会社にそれぞれ連絡可能な複数のボタンスイッチ（２）と、タクシー会社に発信・スタートするための青色のボタンスイッチ（３）と、作動したクロノグラフ（６）をストップさせる赤色のボタンスイッチ（４）と、キャンセルするための黄色のボタンスイッチ（５）と、これらボタンスイッチ（３）（４）（５）と連動するクロノグラフ（６）とを設けたことを特徴とするタクシー依頼用表示盤。
【考案の詳細な説明】
【技術分野】
【０００１】
この考案は、タクシー依頼用表示盤に関するものである。
【背景技術】
【０００２】
従来、一般家庭において、タクシーを使用する場合には、タウンページ等の電話帳を開き、使用したいタクシー会社を見つけ出して、その会社に電話を架けてタクシーの配車を依頼しているのが実状だった。
【０００３】
しかし、上記の手間をかけてタクシー会社に配車の依頼をしても、電話に出なかったり、電話がつながり、配車を依頼しても実際にタクシーが到着するまでの時間がわからない場合があった。
【０００４】
また、視力の弱い老人等がわざわざタウンページ等の電話帳を開き、タクシー会社を見つけ出して、電話する作業は極めて煩雑であった。
【０００５】
さらに、救急車を呼ぶまでもない急病人や、毎回通院するために使用するタクシーは、その診察開始時間までに病院に間に合う必要があり、切実な問題であった。
【考案の開示】
【考案が解決しようとする課題】
【０００６】
そこで、この考案は、各タクシー会社の配車依頼からタクシーが家に来るまでの時間をクロノグラフで図り、各タクシー会社の素早い対応を期待できるタクシー依頼用表示板を開発し、提供することにある。
【課題を解決するための手段】
【０００７】
この考案による課題を解決するための手段としては、表示盤本体（１）に、複数のタクシー会社に連絡可能な複数のボタン（２）と、クロノグラフ（６）を設けると共に、タクシー会社に連絡する青色のボタン（３）と、クロノグラフ（６）の作動をストップさせる赤色のボタン（４）と、黄色のキャンセルボタン（５）を設けたことを特徴とするタクシー依頼用表示盤である。
【考案の効果】
【０００８】
この考案によると、タクシーを必要とする各家庭にそれぞれ設けることにより、タクシーのお迎え時間を各タクシー会社が競うことにより、サービスの向上にもつながり、依頼者もより早くタクシーに乗車できる等の極めてすぐれた効果を奏するものである。
【考案を実施するための最良の形態】
【０００９】
以下、この考案の好適な実施の形態について、図１に基づいて詳細に説明すると、表示盤本体（１）に、複数のタクシー会社にそれぞれ連絡可能な複数のボタンスイッチ（２）と、タクシー会社に発信・スタートするための青色のボタンスイッチ（３）と、作動したクロノグラフ（６）をストップさせる赤色のボタンスイッチ（４）と、キャンセルするための黄色のボタンスイッチ（５）と、これらボタンスイッチ（３）（４）（５）と連動するクロノグラフ（６）とを設けたことを特徴とするタクシー依頼用表示盤から構成されるものである。
【００１０】
前記の複数のボタンスイッチ（２）が設けられ、スイッチを押すことにより、それぞれ配車の依頼先となるタクシー会社に連動するものであるが、タクシー会社とは、事前に、依頼人の住所、氏名、年齢、電話番号等の情報は、電気通信的手段により登録しているものとする。
【００１１】
尚、クロノグラフ（６）とは、ｃｈｒｏｎｏｇｒａｐｈのことであり、ごく短い時間間隔を、精密に記録する装置であり、ストップウォッチ機能もある携帯時計のことをいうものであるが、一般に水晶発振の場合にはパワーの供給の限界からアナログ式では６０分計が多いが、機械式の場合は、１２時間計もある。
【００１２】
また、クロノグラフ（６）が作動中には、ギア・ゼンマイ等で動く、カラクリ手段や、オルゴール等の音の発生手段等を、クロノグラフ（６）と連動させて表示盤本体（１）に設けてもよいものである。
【００１３】
これにより、クロノグラフ（６）が作動中、即ち，タクシーが到着するまで、カラクリ手段や音の発生手段が、老若男女の興味をそそり、退屈しないでタクシーの到着を待つことができる。
【００１４】
また、表示盤本体（１）のレイアウトは、図１に限定されることはなく、図２のように構成してもよく、そのレイアウトは、特に、限定されることはない。
【００１５】
この考案の使用方法を説明すると、例えば、「や○ちタクシー」を呼ぶ場合、複数のタクシー会社にそれぞれ連絡可能な複数のボタンスイッチ（２）のうち、図示の「丸付き数字２」のボタンスイッチを押し、青色のボタンスイッチ（３）を押して、配車の依頼をタクシー会社へ発信し、クロノグラフ（６）をスタートさせる。
【００１６】
そして、「や○ちタクシー」の乗務員が依頼した家に到着し、図示の「丸付き数字２」のボタンスイッチを押し、赤色のボタンスイッチ（４）を押して、クロノグラフ（６）を停止させるものである。
【産業上の利用可能性】
【００１７】
この考案のタクシー依頼用表示盤の技術を確立し、この表示盤を製造、販売することにより、産業上利用できるものである。
【図面の簡単な説明】
【００１８】
【図１】この考案の一実施例を示す正面図である。
【図２】この考案の他の実施例を示す正面図である。
【符号の説明】
【００１９】
１  表示盤本体
２  タクシー会社に連絡可能な複数のボタンスイッチ
３  タクシー会社に連絡する青色のボタンスイッチ
４  作動したクロノグラフをストップさせる赤色のボタンスイッチ
５  キャンセルするための黄色のボタンスイッチ
６  クロノグラフ
【図１】
0003136575.tif 000003
【図２】
0003136575.tif 000004
(57)【要約】      （修正有）【課題】補強材の役目を果たし、ショック吸収効果があるので、靴を傷つけるのを防止し、つまずき・転倒の衝撃を軽減する。昼夜間を通して、老人・視覚障害者に安全を提供し、人の転倒を防ぎ、経済的効果をも期待する。【解決手段】１のカバー本体に２の透過孔を穿設し、３の輝光板、６のシールａ、７のシールｂ、９の頂部保護材を貼設するための凹部を設け、裏面に１０の両面テープを設ける。４の蓄光材、５の反射材を併設した３の輝光板が貼設され、さらに、名称標示のための６のシールａ、広告のための７のシールｂが貼設され、８のゴム突起物が付設された９の頂部保護材が貼設されており、既存の車止めに被せて１０の両面テープによって固着する。このことにより老人・視覚障害者に安全を提供し、人の転倒を防ぎ、経済的効果をも期待できる。【選択図】図１
0003136503.tif 000002
【実用新案登録請求の範囲】
【請求項１】
カバー本体に輝光板、シールａ、シールｂ、滑り止め突起物が設けられた頂部保護材を貼設し、透過孔を穿設することを特徴とする車止め目視・人体保身カバー。
【考案の詳細な説明】
【技術分野】
【０００１】  本考案は、透過孔が穿設されたカバー本体に輝光板、シールａ、シールｂ、頂部保護材を貼設した車止め目視・人体保身カバーに関するものである。
【背景技術】
【０００２】  ビル、コンビニなどの屋内・屋外駐車場において、コンクリート製のものや、プラスチック系のものが使用されていた。
【考案の開示】
【考案が解決しようとする課題】
【０００３】  背景技術で述べた前者においては、人がつまずいて靴を傷つけたり、頂部で足を滑らせ転倒したり、夜間は目視が困難であるため、視覚障害者の妨げになるという欠点を有していた。また後者も同様に頂部は滑りやすく、設置に際しビスやボルトで固定されるため、多くの手間を要するという欠点を有していた。
【課題を解決するための手段】
【０００４】  本考案は、カバー本体に透過孔を穿設して既存の反射機能が損なわれないようにし、輝光板、シールａ、シールｂ、頂部保護材を貼設するための凹部を設けて、貼設をより強固にする構造とし、裏面に両面テープを設ける。夜間の発光のための蓄光材、車両のライトを利用するための反射材を併設した輝光板が貼設され、さらに、名称表示のためのシールａ、広告のためのシールｂが貼設され、滑り止めのためのゴム突起物が付設された、頂部保護材が貼設されており、既存の車止めに被せて両面テープによって固着することにより問題点を解決している。
【考案の効果】
【０００５】  上述のように、本考案の車止め目視・人体保身カバーは、既存のコンクリート製車止めに、クラックが入っていた場合には補強材の役目を果たし、カバー本体にはショック吸収効果があるので、靴を傷つけるのを防止し、視認性の高い黄色を使い、さらに蓄光材の利用により昼夜間を通して、老人・視覚障害者などの弱者に安全を提供できる。そして、頂部保護材に滑り止め効果があるゴム素材を使用することにより、人の転倒を防ぎ、カバー本体がワンタッチで覆設できるので、経済的効果をも期待できる。
【考案の実施するための最良の形態】
【０００６】  カバー本体の素材には、夜間の視認性を高めるために蓄光材を使用している。夜間利用者がライトを点灯した際、車止め位置が容易に視認しやすいように輝光板に反射材を併設している。名称標示や広告のためのシールａ、シールｂが貼付され、滑り止めのための頂部保護材の貼設、既存コンクリートの反射機能を損なわないように、透過孔が穿設される。このようにして製造された車止め目視・人体保身カバーが、裏面の両面テープにより既存の車止めに被せられ、固着される。
【実施例】
【０００７】  以下、添付図面に従って一実施例を説明する。１はカバー本体であり、厚さ１ｍｍ〜５ｍｍ程度を有する軟質樹脂素材が用いられ、２の透過孔がφ８ｍｍ〜φ１２ｍｍで穿設されており、３の輝光板、６のシールａ、７のシールｂ、９の頂部保護材を貼設するための凹部を設け、成形機にて成形されており、裏面に１０の両面テープが設けられている。３の輝光板は幅１ｃｍ〜１．５ｃｍ、長さ３ｃｍ〜５ｃｍ、厚さ０．８ｃｍ〜１．５ｃｍの略長方形に形成された４の蓄光材、同形状に形成された５の反射材が併設されている。さらに、名称標示のための６のシールａ、広告のための７のシールｂが貼設され、８のゴム突起物が付設された、素材をゴム系とし厚さ２ｍｍ〜５ｍｍを有しメッシュ状に形成された９の頂部保護材が貼設されている。既存の車止めには１のカバー本体を被せ、裏側に設けられた１０の両面テープによって固着される。【０００８】  １のカバー本体は、軟質樹脂素材だけでなく合成ゴム素材を用いてもよい。【０００９】  ９の頂部保護材は、製造時に成形機にて成形し、設けてもよい。
【図面の簡単な説明】
【００１０】
【図１】  本考案の平面図である。
【図２】  本考案の斜視図である。
【図３】  カバー本体裏面、両面テープの平面図である。
【符号の説明】
１．カバー本体
２．透過孔
３．輝光板
４．蓄光材
５．反射材
６．シールａ
７．シールｂ
８．ゴム突起物
９．頂部保護材
１０．両面テープ
【図１】
0003136503.tif 000003
【図２】
0003136503.tif 000004
【図３】
0003136503.tif 000005
(57)【要約】      （修正有）【課題】医療における点滴の滴下速度の調整は、時計又は速度表示装置等の動きと、点滴ラインのチャンバー内の滴下状態を、同時に目視しなければならない。そのため片手で時計又は速度表示装置等を、チャンバーの隣に添える動作が必要となり、点滴を必要とする患者数が多い場合相当の労力となる。【解決手段】滴下速度表示装置にチャンバー窓２、即ち空洞部分を設け、そのチャンバー窓からチャンバー５が見えるように、直接点滴ライン４に取り付ける。これにより速度表示と、チャンバー内の滴下状態が手を使うことなく同時に目視できる。【選択図】図１
0003136501.tif 000002
【実用新案登録請求の範囲】
【請求項１】
点滴の滴下速度表示部分の隣にチャンバー窓、即ち窓状の空洞を設け、そのチャンバー窓から点滴ラインのチャンバーが見えるように、直接点滴ラインに取り付け、滴下速度表示とチャンバー内の滴下状態を、手を使うことなく同時に目視できる滴下速度表示装置。
【考案の詳細な説明】
【技術分野】
【０００１】  本考案は、医療における点滴の滴下速度調節に関するものである。
【背景技術】
【０００２】  現在、滴下速度の調節は、腕時計を見ながら単位時間当たりの滴下数を数えて行う方法が一般的であるが、指定された単位時間当たりの滴下数と同周期でＬＥＤ等を点滅させ、その点滅に応じて滴下数を調節する方法が発明されている。（輸液セットの点滴速度指示器、特許公開平８−１１２３４７  その他類似の発明、考案多数有り）
【考案の開示】
【考案が解決しようとする課題】
【０００３】  滴下速度の調節は、時計又は速度表示装置等と、点滴ラインのチャンバー内の滴下状態を、同時に目視しなければならない。そのため、片手で時計又は速度表示装置等をチャンバーのすぐ隣に添える動作が必要となる。看護士等が多くの患者の点滴を調節する場合、相当の労力となる。
【課題を解決するための手段】
【０００４】  図のように滴下速度表示装置１にチャンバーの窓２を設け、点滴ライン４のチャンバー５部分に取り付ける。【０００５】  取り付けの詳細は、上部取り付け箇所７内側の形状をチャンバー５上部が納まるような形状とする。本体の背面に切れ込み１２を入れ、その切れ込みにチャンバー上部点滴チューブ９を押し込んで、チャンバー上部の突起部が本体から上に少しはみ出るまで、下方にずらし安定させる。取り付け後の振れを防止するため、チャンバー下部点滴チューブ１０も下部取り付け箇所８に固定する。
【考案の効果】
【０００６】  腕を上げて時計又は速度表示装置等を、点滴ラインのチャンバーにかざす必要がなくなり、労力の軽減につながる。【０００７】  滴下速度表示部分３とチャンバー５が隣り合わせになることにより、一点を目視するだけでよい。【０００８】  片手だけで滴下速度の調節に集中できるので、短時間で正確に行える。【０００９】  滴下速度の調節が終了しても、他の場所で装置を使用する予定がなければ、そのまま取り付けて置けるので、持ち運ぶ必要がない。
【考案を実施するための最良の形態】
【００１０】  本考案は、点滴ラインに装着できる構造に関することが主であるので、滴下速度表示装置の滴下速度表示部分３設定ボタン等６に関しては概念的なものである。しかし、本装置は点滴ラインにぶら下げる様な形で取り付けるため、小型、軽量が求められる。そのため複雑な機能は、できる限り省き、時間、滴数の設定、表示、演算、マークの点滅のみの機能とするべきと考える。
【図面の簡単な説明】
【００１１】
【図１】装置の構成及び、取り付け、使用状態を示した正面図である。
【図２】上部取り付け箇所の断面図である。
【図３】下部取り付け箇所の断面図である。
【符号の説明】
【００１２】  １  滴下速度表示装置
２  チャンバーの窓（空洞）
３  滴下速度表示部分（点滅）
４  点滴ライン
５  点滴ラインのチャンバー
６  設定ボタン等
７  上部取り付け箇所
８  下部取り付け箇所
９  チャンバー上部点滴チューブ
１０  チャンバー下部点滴チューブ
１１  点滴ラインの調節器
１２  切れ込み
【図１】
0003136501.tif 000003
【図２】
0003136501.tif 000004
【図３】
0003136501.tif 000005
(57)【要約】      （修正有）【課題】従来のテレビ規格であるＮＴＳＣフレームレートを越える高速なＸ線透過映像撮影装置を提供する。【解決手段】被撮影物４はＸ線イメージインテンシファイヤー２により透過Ｘ線を高速度撮影可能な特性の可視光に変換し、高速度カメラ３を用いて高速度撮影を行う。【選択図】図１
0003136509.tif 000002
【実用新案登録請求の範囲】
【請求項１】
高速度カメラとＸ線イメージインテンシファイヤーの組み合わせによる高速度Ｘ線透過映像を撮影することを特徴とするＸ線透過映像撮影装置。
【請求項２】
前記Ｘ線イメージインテンシファイヤーは、高速撮影に対応した反応特性を有することを特徴とする請求項１記載のＸ線透過映像撮影装置。
【請求項３】
前記Ｘ線イメージインテンシファイヤーは、請求項２の特徴にあわせ高速撮影において撮影速度の上昇に反比例し低下するシャッタースピードの低下による光量不足に対し、撮影可能な光量を供給するための光増幅機能を有することを特徴とする請求項１記載のＸ線透過映像撮影装置。
【考案の詳細な説明】
【技術分野】
【０００１】  この考案は、Ｘ線透過映像を高速度で撮影する装置に関する。
【背景技術】
【０００２】  従来のＸ線透過映像は、人間が視覚により観察することが主たる映像確認方法だったため静止画、または従来テレビ映像における一般的な規格であるＮＴＳＣを用いた３０フレーム毎秒の動画を提供するものである。
【考案の開示】
【考案が解決しようとする課題】
【０００３】  しかしながら、以上の技術によれば、Ｘ線透過映像を用いて高速で変化または移動する被撮影物の映像取得ができなかった。
そこで、この考案は、従来のテレビ規格であるＮＴＳＣフレームレートを越える高速なＸ線透過映像撮影装置を提供することを課題とする。
【課題を解決するための手段】
【０００４】  以上の課題を解決するために、第一考案は、撮影装置にＸ線イメージインテンシファイヤーと高速度カメラを組み合わせＮＴＳＣの規格を越える高速度撮影を実現することを特徴とするＸ線透過映像撮影装置である。
また、第二考案は、第一考案のＸ線イメージインテンシファイヤーをＸ線入力時の反応特性と残光特性を持ち、撮影速度に合わせた応答特性を持つことで、高速度撮影時に時間領域において先鋭な映像を取得することを特徴とするＸ線透過映像撮影装置である。
また、第三考案は第二考案に記すＸ線イメージインテンシファイヤーの特徴に合わせ、高速撮影時にフレームレート上昇に反比例し減少するシャッタースピードによる光量不足を補うため、高速撮影可能な光量にＸ線から変換された可視光を増幅する機能を持つＸ線イメージインテンシファイヤーと、高速度カメラを組み合わせることを特徴とするＸ線透過映像撮影装置である。
【考案の効果】
【０００５】  第一考案、第二考案または第三考案によれば、Ｘ線イメージインテンシファイヤーと高速度カメラの組み合わせによりＮＴＳＣ規格を超える高速度Ｘ線透過映像が取得できる。
【考案を実施するための最良の形態】
【０００６】  この考案の一実施形態を、図１に示す。
高速度Ｘ線透過映像撮影装置はＸ線源１、Ｘ線イメージインテンシファイヤー２および高速度カメラ３から構成される。Ｘ線源１から照射されたＸ線は被検査物４を透過しＸ線イメージインテンシファイヤー２で高速撮影に使用できる応答特性を持った可視光映像に変換され、高速度カメラ３で撮影される。【０００７】「実施形態の効果」
この実施形態によれば、高速カメラとＸ線イメージインテンシファイヤーの組み合わせにより高速なＸ線透過映像の取得が可能になり、非破壊検査において透過映像による過渡現象の解析が可能になる。【０００８】「他の実施形態」
また高速Ｘ線透過映像を製造ラインまたは検査ラインに用いることで、検査時のＸ線透過映像の高速な映像処理が可能となり、異物混入や金属探知などの検査ラインの高速化が実現できる。
【図面の簡単な説明】
【０００９】
【図１】この考案の実施形態を機器構成概念図である。
【符号の説明】
【００１０】  １  Ｘ線源
２  Ｘ線イメージインテンシファイヤー
３  高速度カメラ
４  被検査物
５  透過Ｘ線入射面
６  変換後の可視光発光面
【図１】
0003136509.tif 000003
(57)【要約】      （修正有）【課題】竜のヒゲ及び笹類の植栽の労働的負担を軽減し、雑草駆除等の維持管理や、硬い礫土、急勾配の法面、コンクリート等への植栽を容易にする。【解決手段】天然繊維フェルトマットに竜のヒゲ及び笹類を差込植え付けし、根の部分に混合土を接着し一体化した竜のヒゲ及び笹類植栽マットにより、敷設植栽することができ、短時間に大量の植え付けが可能となり、植栽した透間はマットに覆われ、雑草の生育が困難となる為、雑草駆除等の維持管理を必要としない。また、マット化したことにより、植栽地盤条件を問わず自在に敷設植栽することが可能となる。【選択図】図２
0003136502.tif 000002
【実用新案登録請求の範囲】
【請求項１】
天然繊維フェルトに育成した竜のヒゲ及び笹類を差込植え付けし、混合土と一体化させ雑草を抑制しながら竜のヒゲ及び笹類の成長を促す特徴をもつ植栽マット
【考案の詳細な説明】
【技術分野】
【０００１】  本考案は、雑草を抑制し、どこにでも竜のヒゲ及び笹類を植栽する為の植栽マットに関するものである。
【背景技術】
【０００２】  従来は、耕土上に成育した竜のヒゲ及び笹類を２〜５芽単位で手堀りにより植栽していた為、労働的負担が大きく、また、植栽した透間より雑草が育成し、雑草駆除等の維持管理や、硬い礫土、急勾配の法面、コンクリート等への植栽は困難をきたしていた。
【考案の開示】
【考案が解決しようとする課題】
【０００３】  手堀りによる植栽は、労働的負担が大きく、広範囲な植栽になると益々の多大労働的負担が大きくなる。また、広範囲な植栽ほど雑草駆除に手間がかかり、植栽後の維持管理に多大な労働的負担が大きい。従って、生育した竜のヒゲ及び笹類を天然繊維フェルトに差込植え付けし、マットの下面には、粘性土、堆肥、藁の混合土を利用し、マット、竜のヒゲ、混合土を一体化し植栽マットを敷設することにより、前述の欠点を解決しようとするものである。
【課題を解決するための手段】
【０００４】  本考案は、表面に天然繊維フェルトのマット（１〜２年で腐食）を使用して、等間隔に十字の切り目をいれ、それに生育した竜のヒゲ及び笹類を差込植え付けする。
マットの下面となる根の部分に、粘性土、堆肥、藁の混合土を接着させて、マット、竜のヒゲ及び笹類、混合土の一体化したマットを作成する。このマットを敷設植栽する事により、植栽間の透間に雑草は生育できず、維持管理が不要で１年程度で完全な竜のヒゲ及び笹類植栽マットができる。さらに、混合土の設置厚みの調整により、植栽場所の選定が自在となることで問題点を解決している。
【考案の効果】
【０００５】  上述の様に、本考案の竜のヒゲ及び笹類植栽マットを使用することにより手掘り等が必要でなく、マットを敷設するだけで広範囲に、さまざまな地形、土壌に植栽でき、また、混合土の厚み調整をする事でコンクリートやアスファルト等にも植栽することができる。【０００６】  竜のヒゲ及び笹類植栽マットは、表面がマットで覆われている為、マットが腐食し土壌に還元される頃には、成長が旺盛な竜のヒゲ及び笹類が地面を覆うように発育を続ける。従って、雑草駆除の維持管理を必要としない。
【考案を実施するための最良の形態】
【０００７】  竜のヒゲ及び笹類植栽マットの作成は、天然繊維フェルトの方形状マットに、等間隔で、２〜４ｃｍ程度の切り目を十字状に入れ、同じ形状の板もしくはプラスチックにマットと同じ間隔で直径０．８〜２．０ｃｍ程度の穴をあける。（型枠）
型枠にマットを敷設して十字の切り込みと穴の位置が重なる様にセットしてマット上面の十字切り目より、竜のヒゲ及び笹類の葉先の方から差込む。  以上の作業が、１ブロック完成した後、根部分が露出している面に粘性土、堆肥、藁、水を混合させた液状土を充填させ、液状土がある程度凝結するまで一定の養生後、完成となる。
【実施例】
【０００８】  以下添付図面に従って実施例を説明する。▲１▼は、素材が１〜２年で腐食して土壌に還元される天然フェルトである。▲２▼は、土壌で十分に成育した竜のヒゲ及び笹類を▲１▼に差込植え付けしたものである。▲３▼は、粘性土と堆肥と藁の混合土である。【０００９】  ▲１▼のマットの大きさは、Ｌ＊Ｗの適度な法形状の大きさとし、Ｌ１又はＷ１の等間隔でマットに十字の切り目をいれる。Ｔ１については１０〜２０ｍｍ程度にする。【００１０】  ▲２▼を▲１▼に差込む方法については、直径０．８〜２．０ｃｍ程度の長さ３〜１０ｃｍに切断した円柱状のゴムホース等に、円と直角方向に切り目をいれる。そのゴムホース等で、竜のヒゲ及び笹類の葉全体部分を包み込み、スライドさせて葉全体を包み込み、ゴムホース等と同時に、マットの十字切り込みへ差込み、竜のヒゲ及び笹類だけを残し、ゴムホース等だけ抜き取る。【００１１】  ▲３▼は、粘性土を主として堆肥と藁を適量に混合し、水を入れて練混ぜ液状土を作成後、マット、竜のヒゲ及び笹類、液状土を一体化させ乾燥させた混合土である。Ｔ２については、植栽場所により０〜５０ｍｍ程度とする。
【産業上の利用可能性】
【００１２】  竜のヒゲ及び笹類植栽マットは、工場で生産ができる為、大量の均等な敷設植え付けが可能になり、生産コストを安く抑える事ができる為、一般土木、緑地帯、公園、庭園等の幅広い分野で活用が期待できる。さらに、工事現場において、重機で転圧した盛土法面に、竜のヒゲ及び笹類植栽マットを敷設し、竹串等で固定することにより、重機による転圧形状と強度をそのまま残した植え付けが容易であり、補強土壁工法では、壁前面に貼り付ける事により完全な緑化ができる。また、地球温暖化に伴う二酸化炭素吸収の為、ビルの屋上緑化やベランダ等の緑化ができる。
【図面の簡単な説明】
【００１３】
【図１】竜のヒゲ及び笹類植栽マットを示した平面図である。
【図２】竜のヒゲ及び笹類植栽マットを示した断面図である。
【図３】竜のヒゲ及び笹類植栽マットを示した側面図である。
【符号の説明】
【００１４】▲１▼      マット
▲２▼      竜のヒゲ及び笹類
▲３▼      混合土
Ｌ，Ｗ      マットの縦，横長
Ｌ１，Ｗ１  竜のヒゲ縦、横植栽間隔
Ｌ２，Ｗ２  マット継ぎ手長
Ｔ１        マットの厚さ
Ｔ２        混合土の厚さ
【図１】
0003136502.tif 000003
【図２】
0003136502.tif 000004
【図３】
0003136502.tif 000005